(57)【要約】【課題】特別な機能を持たない一般的なビデオカメラを用いた盗撮も防止することができる点灯制御装置、盗撮防止システム、映写機を提供する。【解決手段】点灯回路１２は、ビデオカメラの撮影対象に対して光を照射する発光部１１を点灯周波数にて明滅させる。制御部１４では、前記撮影対象をビデオカメラで撮影したときに、映像にフリッカが生じて正常な撮影ができなくなるように、発光部１１を明滅させる点灯周波数を制御する。ここで、制御部１４は、前記撮影対象を直接見ている人にはちらつきを感じさせないように臨界融合周波数以上の範囲内で点灯周波数を設定し、当該点灯周波数を時間経過に伴って変更する。【選択図】図１
2010278573.tif 000002
【特許請求の範囲】
【請求項１】
第１のビデオカメラの撮影対象に対して光を照射する発光部を、所定範囲の点灯周波数にて点滅または明るさを変化させながら点灯させる点灯回路と、前記点灯周波数を制御する制御部とを備え、制御部は前記点灯周波数を、第１のビデオカメラで撮影される映像にフレーム間で明るさが変化するフリッカを生じるように決められた上限周波数以下で且つ臨界融合周波数以上の範囲で、時間経過に伴って変更することを特徴とする点灯制御装置。
【請求項２】
請求項１記載の点灯制御装置と、前記発光部の光が照射する領域を撮影対象とする第２のビデオカメラと、前記制御部が前記点灯周波数を変更する前に変更後の点灯周波数および変更タイミングを含む変更情報を出力する変更通知部と、変更通知部から出力された変更情報に基づいて、第２のビデオカメラで撮影される映像にフリッカが生じないように第２のビデオカメラの設定を変更する設定変更部とを備えることを特徴とする盗撮防止システム。
【請求項３】
前記変更通知部は前記点灯制御装置に設けられ、前記設定変更部は前記第２のビデオカメラに設けられ、点灯制御装置から設定変更部への前記変更情報の伝送は点灯制御装置と第２のビデオカメラとの間の通信によって行われることを特徴とする請求項２記載の盗撮防止システム。
【請求項４】
前記点灯制御装置は、通信用光源から出力される光に前記変更情報を重畳させて可視光通信を行う送信部を有し、前記第２のビデオカメラは、通信用光源の出力光を受光し、受光した通信用光源の出力光から変更情報を取得する受信部を有することを特徴とする請求項３記載の盗撮防止システム。
【請求項５】
前記発光部を前記通信用光源に兼用することを特徴とする請求項４記載の盗撮防止システム。
【請求項６】
請求項１記載の点灯制御装置を備え、前記発光部を光源としてスクリーンに映像を投影することを特徴とする映写機。
【発明の詳細な説明】
【技術分野】
【０００１】
本発明は、劇場等で上映される映画や上演される演劇の映像がビデオカメラで不正に撮影されることを防止する点灯制御装置、盗撮防止システム、映写機に関するものである。
【背景技術】
【０００２】
従来から、劇場内で上映中の映画などをビデオカメラ（カムコーダ）によって不正に撮影（盗撮）し、いわゆる海賊版を作成するという行為が問題になっている。
【０００３】
この種の問題に対処するため、ＲＦタグ（能動型無線タグ）をビデオカメラに内蔵し、劇場の入場口と退場口とにそれぞれ設置されたＲＦタグリーダでＲＦタグの情報を読み取ることで、劇場内での撮影行為を発見する技術が提案されている（たとえば特許文献１参照）。また、撮影を禁止するエリアでカメラに対して制御情報を送信し、当該制御情報を受けたカメラに撮影を禁止させる技術も提案されている（たとえば特許文献２参照）。
【先行技術文献】
【特許文献】
【０００４】
【特許文献１】特開２００５−０５１４８７号公報（第４〜５頁）
【特許文献２】特開２００８−０７８８４５号公報（第５〜６頁）
【発明の概要】
【発明が解決しようとする課題】
【０００５】
しかし、上述した特許文献１，２に記載の発明では、特別な機能を持った専用のビデオカメラ（特許文献１ではＲＦタグを内蔵したビデオカメラ、特許文献２では制御情報を受けて撮影が制限されるカメラ）のみを盗撮防止の対象としており、これらの機能に対応しない一般的なビデオカメラを用いた盗撮まで防止することはできない。
【０００６】
本発明は上記事由に鑑みてなされたものであって、特別な機能を持たない一般的なビデオカメラを用いた盗撮も防止することができる点灯制御装置、盗撮防止システム、映写機を提供することを目的とする。
【課題を解決するための手段】
【０００７】
請求項１の発明は、第１のビデオカメラの撮影対象に対して光を照射する発光部を、所定範囲の点灯周波数にて点滅または明るさを変化させながら点灯させる点灯回路と、前記点灯周波数を制御する制御部とを備え、制御部が前記点灯周波数を、第１のビデオカメラで撮影される映像にフレーム間で明るさが変化するフリッカを生じるように決められた上限周波数以下で且つ臨界融合周波数以上の範囲で、時間経過に伴って変更することを特徴とする。
【０００８】
この構成によれば、点灯回路は、第１のビデオカメラの映像にフリッカを生じるように決められた上限周波数以下で且つ臨界融合周波数以上の点灯周波数にて、発光部を点滅または明るさを変化させながら点灯させるので、当該発光部からの光が照射する撮影対象を直接見ている人の目にはちらつきを感得させないようにしながらも、当該撮影対象を撮影した第１のビデオカメラの映像にフリッカを生じさせることができる。これにより、ビデオカメラを用いて撮影対象を盗撮しようとしても、当該ビデオカメラが特別な機能を持たない一般的なビデオカメラであるか否かにかかわらず、撮影された映像にフリッカを生じさせて撮影対象の盗撮を防止することができるという利点がある。さらに、制御部が点灯周波数を時間経過に伴って変更するので、仮に、点灯周波数に合わせてビデオカメラのシャッタ速度等の設定が変更されることによりフリッカが抑制されたとしても、その後に点灯周波数が変更されることにより、再びフリッカが発生して盗撮は防止される。なお、臨界融合周波数とは、人の目に対する光刺激を周期的に変化させた際に、視覚的にちらつきが感じられなくなって連続的な刺激として感じるようになる限界の周波数を意味する。
【０００９】
請求項２の発明は、請求項１記載の点灯制御装置と、前記発光部の光が照射する領域を撮影対象とする第２のビデオカメラと、前記制御部が前記点灯周波数を変更する前に変更後の点灯周波数および変更タイミングを含む変更情報を出力する変更通知部と、変更通知部から出力された変更情報に基づいて、第２のビデオカメラで撮影される映像にフリッカが生じないように第２のビデオカメラの設定を変更する設定変更部とを備えることを特徴とする。
【００１０】
この構成によれば、設定変更部を用いることにより、変更通知部から出力された変更情報に基づいて、ビデオカメラで撮影される映像にフリッカが生じないようにビデオカメラの設定を変更することができるので、正規に撮影が許可された第２のビデオカメラに対して設定変更部を用いることでフリッカを生じさせずに撮影させることができる。つまり、正規に撮影が許可されたビデオカメラに関しては、制御部が点灯周波数を変更する前に、変更後との点灯周波数および変更タイミングを含む変更情報に基づいて、シャッタ速度等の設定を変更できるため、発光部の明るさが変化するタイミングと撮影タイミングとを同期させることによりフリッカを防止することができる。
【００１１】
請求項３の発明は、請求項２の発明において、前記変更通知部が前記点灯制御装置に設けられ、前記設定変更部が前記第２のビデオカメラに設けられ、点灯制御装置から設定変更部への前記変更情報の伝送が点灯制御装置と第２のビデオカメラとの間の通信によって行われることを特徴とする。
【００１２】
この構成によれば、点灯制御装置と正規に撮影が許可された第２のビデオカメラとの間で通信を行うことによって、当該ビデオカメラによる撮影が可能になるため、点灯制御装置およびビデオカメラ以外に撮影を許可するための特別な装置を用意する必要がなく、システム構成を簡単にできるという利点がある。
【００１３】
請求項４の発明は、請求項３の発明において、前記点灯制御装置が、通信用光源から出力される光に前記変更情報を重畳させて可視光通信を行う送信部を有し、前記第２のビデオカメラが、通信用光源の出力光を受光し、受光した通信用光源の出力光から変更情報を取得する受信部を有することを特徴とする。
【００１４】
この構成によれば、点灯制御装置から第２のビデオカメラへの変更情報の伝送は可視光通信によって行われるため、点灯制御装置と第２のビデオカメラとがケーブルなどで直接接続されていなくても、当該ビデオカメラによる撮影が可能になる。
【００１５】
請求項５の発明は、請求項４の発明において、前記発光部を前記通信用光源に兼用することを特徴とする。
【００１６】
この構成によれば、フリッカを生じさせて盗撮を防止するための発光部を可視光通信に兼用しているので、可視光通信を行うための構成要素の増加を抑えることができる。
【００１７】
請求項６の発明は、請求項１記載の点灯制御装置を備え、前記発光部を光源としてスクリーンに映像を投影することを特徴とする。
【００１８】
この構成によれば、映画などの映像をスクリーンに投影する映写機を利用して、当該映像が盗撮されることを防止可能になる。
【発明の効果】
【００１９】
本発明は、点灯回路が発光部を所定範囲の点灯周波数にて点滅または明るさを変化させながら点灯させ、制御部が点灯周波数を、第１のビデオカメラの映像にフリッカを生じるように決められた上限周波数以下で且つ臨界融合周波数以上の範囲で時間経過に伴って変更するので、特別な機能を持たない一般的なビデオカメラを用いた盗撮も防止することができるという利点がある。
【図面の簡単な説明】
【００２０】
【図１】（ａ）は本発明の実施形態１の点灯制御装置の概略ブロック図、（ｂ）はその動作例を示す説明図である。
【図２】同上の構成を示す概略回路図である。
【図３】同上の他の動作例を示す説明図である。
【図４】同上の他の構成を示す概略回路図である。
【図５】同上の盗撮防止システムの概略ブロック図である。
【図６】同上の動作例を示す説明図である。
【図７】同上の動作例を示す説明図である。
【図８】同上で用いる符号を示す説明図である。
【図９】同上の他の動作例を示す説明図である。
【図１０】本発明の実施形態２の点灯制御装置の概略回路図である。
【図１１】同上のランプ電力の周波数特性を示す説明図である。
【図１２】同上の動作例を示すタイミングチャートである。
【発明を実施するための形態】
【００２１】
（実施形態１）
本実施形態の点灯制御装置は、劇場内で上演される演劇等をビデオカメラ（カムコーダ）によって不正に撮影（盗撮）する行為を防止するためのものであって、ビデオカメラの撮影対象となる舞台上を照明する照明器具（スポットライトなどでもよい）に盗撮防止機能を搭載してなる。なお、盗撮防止機能は上演中常に機能する必要はないため、舞台上を照明する全ての照明器具に盗撮防止機能を搭載する必要はない。
【００２２】
この点灯制御装置１０は、図１（ａ）に示すように、照明用の光源からなる発光部１１を点灯させる点灯回路１２と、駆動信号により点灯回路１２を駆動する駆動回路１３と、駆動回路１３を制御する制御部１４とを備えている。
【００２３】
発光部１１には、少なくとも臨界融合周波数（critical fusion frequency）以上の点灯周波数で明滅可能なものが用いられ、ここではＬＥＤ（発光ダイオード）を用いる。ここでいう臨界融合周波数は、光を明滅させる周波数を徐々に高めていったときに人がちらつきを感じずあたかも連続的に点灯しているように視認し始める周波数を意味する。点灯回路１２は、発光部１１に対して電力供給することにより、所定範囲の点灯周波数にて発光部１１を明滅点灯させる。制御部１４はマイコンを主構成とし、タイマ機能を具備している。駆動回路１３は、制御部１４の出力信号に応じて点灯回路１２内のスイッチング素子１５（図２参照）を駆動する機能を有している。
【００２４】
以下、点灯制御装置１０の具体的な構成について図２を参照して説明する。
【００２５】
発光部１１は、複数個のＬＥＤ１６を直列接続してなるＬＥＤアレイを複数有したＬＥＤブロックからなり、点灯回路１２は、交流電源（商用電源）ＡＣを直流電源に変換する直流電源回路１７を有し発光部に対して電力供給する。ここで、各ＬＥＤアレイにはそれぞれ減流用の抵抗Ｒ１が直列接続されており、複数のＬＥＤアレイおよび抵抗Ｒ１からなる並列回路に対して直流電源回路１７から直流電圧を印加することにより発光部１１が点灯する。直流電源回路１７の出力端間には、ＭＯＳＦＥＴからなるスイッチング素子１５を介して発光部１１および抵抗Ｒ１が接続され、スイッチング素子１５のオンオフに応じて発光部１１が点滅するように構成されている。ここで、点灯回路１２のスイッチング素子１５は駆動回路１３により上記点灯周波数でオンオフ制御され、これにより発光部１１は当該点灯周波数で点灯・消灯を繰り返すことになる。
【００２６】
ここにおいて、制御部１４では、発光部１１からの光が照射する領域（ここでは舞台上）をビデオカメラ（第１のビデオカメラ）で撮影したときに、フリッカが生じて正常な撮影ができなくなるように上記点灯周波数を制御する。すなわち、一般に知られているように、ビデオカメラで映像を撮影する際に、たとえば非インバータ方式の蛍光灯を照明に用いるなどして撮影対象の照度が周期的に変動すると、ビデオカメラで撮影された映像においてはフレーム間で明るさが変動するフリッカが発生する。当該フリッカの発生は、ビデオカメラが１回のシャッタ開放期間に受ける光量がフレームごとに異なることに起因する。
【００２７】
本実施形態では、このフリッカを意図的に発生させることにより、ビデオカメラによる不正な撮影（盗撮）を防止する。ただし、当該フリッカは、点灯周波数（あるいはその偶数倍）とビデオカメラのシャッタ速度（近年ではシャッタ速度が１／２４〜１／８０００秒程度のビデオカメラが一般に提供されている）の逆数とが一致するか、あるいはシャッタ速度の逆数に比較して点灯周波数が格段に高い場合には発生しないので、後者の条件から点灯周波数の上限周波数が決定される。具体的には、点灯周波数はシャッタ速度の逆数未満となるようにその上限周波数が設定される。
【００２８】
ここで、発光部１１からの光が照射する領域を直接見ている人にはちらつきを感じさせないように、点灯周波数は上述した臨界融合周波数（年齢等による個人差はあるが一般的に約３０〜４０Ｈｚ程度）以上の範囲内で設定されるものとする。これにより、発光部１１からの光出力は実際には変動しているものの、臨界融合周波数の逆数の時間単位での平均光出力は略一定となるため、人の目には連続的に点灯しているように見えることとなる。
【００２９】
結局、点灯周波数は、ビデオカメラの映像にはフリッカを生じさせながらも直接見ている人にはちらつきを感じさせないように、前記上限周波数以下で且つ臨界融合周波数以上の範囲（たとえば６０〜２００Ｈｚ程度）内で設定される。
【００３０】
ただし、ビデオカメラにおいては被写体の照明状態に応じてフリッカを低減する技術が提案されており（たとえば特開２００８−３１１８５４号公報、特許第３４７４９９９号公報参照）、単に発光部１１を明滅点灯させるというだけでは、この種の技術を採用したビデオカメラを用いることでフリッカの低減を図られる可能性がある。たとえば、照明光の点灯周波数（あるいはその偶数倍の周波数）とシャッタ速度の逆数とが一致するように、点灯周波数に合わせてシャッタ速度が調節されたビデオカメラではフリッカは生じないので、このようなビデオカメラを用いて不正な撮影が行われるおそれがある。そこで本実施形態では、制御部１４は上記点灯周波数を一定に固定するのではなく、時間経過に伴って随時変化させる構成を採用する。
【００３１】
ここでは、図１（ｂ）に示すように点灯周波数を少なくともｆ１，ｆ２，ｆ３の３種類で切り替えることにより、発光部１１は時刻ｔ０〜ｔ１の期間には点灯周波数ｆ１で明滅し、時刻ｔ１〜ｔ２の期間には点灯周波数ｆ２（＞ｆ１）で明滅し、時刻ｔ３〜ｔ４の期間には点灯周波数ｆ３（＜ｆ１）で明滅する。本実施形態では、予め搭載されているプログラムに従って定期的に既定の順番で点灯周波数を切り替えるものとするが、この例に限らず、点灯周波数の変更のタイミングと変更後の周波数との少なくとも一方について、乱数発生機能を用いてランダムに決定するようにしてもよい。
【００３２】
このように発光部１１の点灯周波数を時間経過に伴って変化させることにより、たとえビデオカメラにおいて１つの点灯周波数に合わせてシャッタ速度等が調節されたとしても、すぐに点灯周波数が変更されてフリッカが生じることになる。つまり点灯周波数の変化に追従してシャッタ速度等を調節しようとしても、点灯周波数が変化してからシャッタ速度等が実際に変更されるまでの間にはフリッカが生じることになるので、結局フリッカのない映像を撮ることはできない。これにより、不正な撮影（盗撮）を確実に防止することが可能となる。
【００３３】
また、上述した例では、発光部１１が点灯周波数で点灯状態と消灯状態とを繰り返す方式を採用しているが、この例に限らず、図３のように明るさの異なる２段階の点灯状態（明状態・暗状態）を設定し、明状態と暗状態とを点灯周波数で繰り返す方式としてもよい。この場合、たとえば図４に示すように発光部１１を２つのＬＥＤブロック（発光部１１，１１’）に分割し、各発光部１１，１１’ごとにスイッチング素子１５，１５’および駆動回路１３，１３’を設けて、一方の発光部１１，１１’のみを点灯させる状態（暗状態）と、両方の発光部１１，１１’を点灯させる状態（明状態）とを交互に繰り返すようにすればよい。
【００３４】
ところで、舞台上で上演される演劇等を撮影して正規にＤＶＤを作成する場合などで、前記演劇等の撮影をある特定の正規のビデオカメラ（第２のビデオカメラ）にのみ許可する場合がある。このような場合に、撮影の許可を得た正規のビデオカメラで撮影された映像にフリッカが生じることは避ける必要があるので、以下に説明する盗撮防止システムを提案する。
【００３５】
この盗撮防止システムは、図５に示すように、点灯制御装置１０と、撮影の許可を得た正規のビデオカメラ２０とを構成要素とし、点灯制御装置１０が発光部１１の点灯周波数を変更する前に、変更後の周波数や変更タイミング等の変更情報を点灯制御装置１０から前記ビデオカメラ２０へ通知する構成を有する。ここで、上記変更情報は、発光部１１から出力される可視光を媒体として可視光通信技術（たとえば特開２００７−２６７０３６号公報、特開２００９−０１０４８７号公報、特開２００７−２７４０５２号公報参照）によりビデオカメラ２０に伝達される。すなわち、点灯制御装置１０には発光部１１の出力する照明光の振幅や周波数を変調して変更情報を送信する送信部として機能が設けられ、ビデオカメラ２０には発光部１１の出力光を受光し復調することで変更情報を取得する受信部３０が設けられる。なお、ここでは点灯制御装置１０の制御部１４が送信部として機能する。
【００３６】
受信部３０は、発光部１１から受けた光を電気信号に変換する光電変換部３１と、光電変換部３１の出力する電気信号を増幅する増幅する増幅部３２と、所定の周波数帯域の信号を通過させるバンドパスフィルタ３３と、バンドパスフィルタの出力を２値化する比較部３４と、比較部３４の出力から符号化方式を逆変換して変更情報を復号化する受信制御部３５とを有している。
【００３７】
光電変換部３１はＰＩＮフォトダイオードからなるものとするが、この例に限らず、ビデオカメラ２０の撮像部２１の撮像素子（ＣＣＤやＣＭＯＳセンサ）を光電変換部３１に兼用する（たとえば特開２００７−２７４０５２号参照）ことも考えられる。光電変換部３１は、ノイズ成分を除去して発光部１１の出力光の受光精度を向上させるため、特定の波長のみを透過させる光学フィルタ（図示せず）を有している。増幅部３２は、オペアンプＩＣやトランジスタ等で構成される汎用のものとする。
【００３８】
ここに、本実施形態では発光部１１の出力に搬送波を重畳させることにより変更情報を送信するため、発光部１１の点灯中において点灯周波数より十分に高い駆動周波数で発光部１１を明滅させている（図６参照）。バンドパスフィルタ３３は、当該駆動周波数の２倍の周波数を中心周波数としてフィルタリングする汎用のバンドパスフィルタであって、光電変換部３１が発光部１１からの出力光を受光したときに生じる増幅部３２の出力を通すように構成される。比較部３４は、コンパレータからなり、バンドパスフィルタ３３を通した信号を所定の閾値と比較することにより「Ｈ」、「Ｌ」の２値のデジタル信号に変換する。つまり、比較器３４の出力は発光部１１の点灯中に「Ｈ」となり、消灯中に「Ｌ」となる。
【００３９】
受信制御部３５は、汎用の演算装置からなり、復調された変更情報に基づいて、ビデオカメラ２０の撮像部２１に対してシャッタ速度やゲイン等の設定を行う。なお、点灯周波数にビデオカメラ２０のフレームレートを同期させてもフリッカの発生は防止できるので、変更情報に基づきビデオカメラ２０のフレームレートを設定するようにしてもよい。
【００４０】
次に、発光部１１の出力光の振幅や周波数を変調してデータ（変更情報）を送信する形態について説明する。
【００４１】
図７には、可視光通信の変調方式の一例として、４値ＰＰＭ（pulse position modulation）方式を採用した場合の発光部１１の光出力を例示する。ここで、４値ＰＰＭ方式では、図８（ａ）〜（ｄ）に示すように１シンボル時間を４等分してそれぞれ１スロットとし、パルスを発生させる（つまり発光部１１を点灯させる）スロットの位置によって、１シンボル時間当たり２ビット（「００」，「０１」，「１０」，「１１」の４値）の符号を表すことができる。つまり、１番目のスロットが「Ｈ」でそれ以外が「Ｌ」のパターンが「００」に対応し、２番目のスロットが「Ｈ」でそれ以外が「Ｌ」のパターンが「０１」に対応し、３番目のスロットが「Ｈ」でそれ以外が「Ｌ」のパターンが「１０」に対応し、４番目のスロットが「Ｈ」でそれ以外が「Ｌ」のパターンが「１１」に対応する。
【００４２】
図７の例では図８において「Ｈ」のときに発光部１１を消灯させ、「Ｌ」のときに発光部１１を点灯させるものとする。この方式では、いずれの符号においても１シンボル時間当たり３スロット分は発光部１１が点灯することになるため、１シンボル時間毎の発光部１１からの光出力の積算値は一定になる。なお、図８（ｅ）には通信開始を表すスタート符号を示す。
【００４３】
上述したように４値ＰＰＭ方式を採用した場合、１シンボル時間を１周期として発光部１１の明るさが変化することとなり、１シンボル時間の逆数が点灯周波数となる。そこで、制御部１４は、１シンボル時間を一定に固定するのではなく、時間経過に伴って随時変化させる（図７の例では時刻ｔ１の前後で変化させている）ことにより、点灯周波数を変更する。
【００４４】
また、可視光通信の変調方式は上述した４値ＰＰＭ方式に限るものではなく、たとえば図９に示すマンチェスタ符号方式なども採用可能である。マンチェスタ符号方式では、デューティ比５０％のクロック信号を基本とし、「Ｈ」から「Ｌ」に変化するクロック信号を「１」、「Ｌ」から「Ｈ」に変化するクロック信号を「０」とする。この場合、１クロック毎の発光部１１からの光出力の積算値は一定になる。この方式では、クロック信号の周波数が点灯周波数となるため、制御部１４は、当該点灯周波数を時間経過に伴って随時変化させる（図９の例では時刻ｔ１，ｔ２の前後でそれぞれ変化させている）。
【００４５】
ここで、劇場内の複数台の照明器具を盗撮防止用の点灯制御装置１０とする場合、これら複数台の照明器具の全てが可視光通信機能を有する必要はなく、上位ネットワーク（構内ＬＡＮなど）に接続した１台以上の照明器具が可視光通信機能で変更情報をビデオカメラ２０に送信する構成とすればよい。
【００４６】
また、ビデオカメラの映像にフリッカを発生させる光源（発光部１１）と可視光通信でビデオカメラ２０に変更情報を送信するための光源（通信用光源）とは、別々の照明器具であってもよい。この場合、点灯制御装置１０から通信用光源を具備する照明器具に対して変更情報を送信し、当該照明器具から可視光通信により変更情報をビデオカメラ２０に転送する構成とする。さらにまた、受信部３０をビデオカメラ２０と別装置とし、受信部３０で受け取った変更情報をさらにビデオカメラ２０に転送するように構成することも可能である。
【００４７】
さらに、複数台の照明器具を連動させることにより点灯制御装置１０として用いることも可能である。この場合、これら複数台の照明器具を上位ネットワークに接続し、互いに点灯周波数並びにその切替タイミングを一致させることにより、連動させることが可能である。照明器具間で可視光通信を行って同期をとるようにしてもよい。
【００４８】
（実施形態２）
本実施形態の点灯制御装置４０は、発光部を放電灯（蛍光灯）とした点が実施形態１の点灯制御装置１０と相違する。
【００４９】
この点灯制御装置４０は、図１０に示すように交流電源ＡＣをダイオードブリッジＤ１〜Ｄ４にて全波整流後コンデンサＣ１で平滑することにより直流電源に変換する直流電源回路４７を備えている。点灯回路４２は、直流電源回路４７の出力端間（コンデンサＣ１の両端間）に接続されるスイッチング素子Ｑ１，Ｑ２の直列回路と、当該一対のスイッチング素子Ｑ１，Ｑ２を交互にオンする駆動回路４３とを備え、ハーフブリッジ式のインバータ回路を構成する。スイッチング素子Ｑ２の両端間にはコンデンサＣ２およびインダクタＬ１の直列回路を介して発光部としての放電灯Ｌａが接続され、放電灯Ｌａには予熱用のコンデンサＣ３が並列接続される。コンデンサＣ２はランプ電流から直流成分を除去する直流カット用のコンデンサであり、コンデンサＣ３より大幅に大きい容量（たとえばコンデンサＣ３の１０倍以上）のものが選択される。
【００５０】
点灯回路４２の動作周波数（つまり駆動回路４３がスイッチング素子Ｑ１，Ｑ２をオンオフする周波数）は、インバータ制御部４５によって制御される。インバータ制御部４５では、前記動作周波数を変化させることにより放電灯Ｌａの予熱、始動、点灯を行う。たとえば電源投入時には、所定の予熱時間経過後にＬＣ直列共振回路（インダクタＬ１，コンデンサＣ３）によって放電灯Ｌａの両端間に高電圧を発生させ、これにより放電が開始して放電灯Ｌａが点灯する。
【００５１】
図１１は点灯回路４２の動作周波数とランプ電力（放電灯Ｌａに供給される電力）との関係を示している。動作周波数をＬＣ直列共振回路の共振周波数ｆｃより低い周波数で設定すると放電灯Ｌａ始動時に回路に過大な電流が流れて回路部品にストレスがかかるので、ここでは、共振周波数ｆｃよりも高い領域（ここでは４０ｋＨｚ〜１００ｋＨｚとする）で動作周波数を変化させるものとする。しかして、点灯回路４２においては、動作周波数により放電灯Ｌａの調光制御が可能となる。
【００５２】
そこで本実施形態では、制御部４４によって、図１２に示すように動作周波数をｆｄ１（＞ｆｃ）とｆｄ２（＞ｆｄ１）との２値間で切り替えることにより、明るさの異なる２段階の点灯状態（明状態・暗状態）を設定し、明状態と暗状態とを点灯周波数で繰り返すようにする。つまり、動作周波数ｆｄ１で点灯回路４２を駆動する放電灯Ｌａは比較的明るい明状態となり、動作周波数ｆｄ２で点灯回路４２を駆動すると放電灯Ｌａは比較的暗い暗状態となる。図１２において、時刻ｔ１までは点灯周波数ｆ１で明状態と暗状態とを交互に繰り返しており、時刻ｔ１以降は点灯周波数ｆ２（＜ｆ１）で明状態と暗状態とを交互に繰り返している。なお、図１２における平均光出力は、臨界融合周波数の逆数の時間単位での平均光出力（つまり、人が視覚的に認識する明るさ）を表している。
【００５３】
その他の構成および機能は実施形態１と同様である
ところで、上記各実施形態では点灯制御装置として照明器具を例示したが、この例に限るものではなく、映画をスクリーンに投影するための映写機（プロジェクタ装置を含む）などに、本発明の点灯制御装置の機能を付加することも考えられる。この場合、映写機の光源が発光部となる。なお、発光部はＬＥＤ、放電灯以外の光源（たとえば有機ＥＬなど）であってもよい。
【符号の説明】
【００５４】
１０  点灯制御装置
１１  発光部
１２  点灯回路
１４  制御部
ｆ１，ｆ２，ｆ３  点灯周波数
【図１】
2010278573.tif 000003
【図２】
2010278573.tif 000004
【図３】
2010278573.tif 000005
【図４】
2010278573.tif 000006
【図５】
2010278573.tif 000007
【図６】
2010278573.tif 000008
【図７】
2010278573.tif 000009
【図８】
2010278573.tif 000010
【図９】
2010278573.tif 000011
【図１０】
2010278573.tif 000012
【図１１】
2010278573.tif 000013
【図１２】
2010278573.tif 000014